(57)【要約】【課題】原稿から取得した読取画像に基づいて、設定がされた画像処理装置で処理をすると、正常な出力画像を得ることができない場合、利用者が負担なくそれに対応することを可能にする画像処理装置を提供する。【解決手段】原稿から取得した読取画像に基づいて、設定がされた画像処理装置により出力画像を生成するならば、該出力画像が前記設定に対応した要件を満たすことになるか否かを判断する判断手段と、前記出力画像が前記要件を満たすことにならないと前記判断手段が判断した場合に、前記出力画像をプレビュー表示するプレビュー手段と、を備える。【選択図】図１４
2018133627.tif 000002
【特許請求の範囲】
【請求項１】
原稿から取得した読取画像に基づいて、設定がされた画像処理装置により出力画像を生成するならば、該出力画像が前記設定に対応した要件を満たすことになるか否かを判断する判断手段と、
前記出力画像が前記要件を満たすことにならないと前記判断手段が判断した場合に、前記出力画像をプレビュー表示するプレビュー手段と、
を備えることを特徴とする画像処理装置。
【請求項２】
請求項１に記載の画像処理装置であって、
前記出力画像が前記要件を満たすことにならないと前記判断手段が判断した場合に、利用者に対して対応処理を選択させるための画面を表示する選択画面表示手段を更に備えることを特徴とする画像処理装置。
【請求項３】
請求項２に記載の画像処理装置であって、
前記対応処理は、（１）前記画像処理装置に対する設定の変更及び読取画像の再取得、（２）少なくとも一部の読取画像の再取得、（３）そのまま継続の少なくとも一部を含むことを特徴とする画像処理装置。
【請求項４】
請求項１乃至３の何れか１項に記載の画像処理装置であって、
前記設定とは、利用者による設定であることを特徴とする画像処理装置。
【請求項５】
請求項１乃至３の何れか１項に記載の画像処理装置であって、
前記設定とは、システム設定であることを特徴とする画像処理装置。
【請求項６】
請求項５に記載の画像処理装置であって、
前記システム設定は、前記出力画像の出力先毎に管理者により設定されたものであることを特徴とする画像処理装置。
【請求項７】
請求項１乃６の何れか１項に記載の画像処理装置であって、
前記読取画像とは、利用者が原稿読取装置に読み取らせた原稿から取得した画像であることを特徴とする画像処理装置。
【請求項８】
請求項１乃至６の何れか１項に記載の画像処理装置であって、
前記設定は、前記原稿のサイズ、向きの何れか一方又は双方の設定を含み、
前記要件は、設定された原稿のサイズ、向きの何れか一方又は双方が読取原稿のサイズ、向きの何れか一方又は双方と一致することであることを特徴とする画像処理装置。
【請求項９】
請求項１乃至６の何れか１項に記載の画像処理装置であって、
前記設定は、枚数指定の集約印刷の設定を含み、
前記要件は、指定された枚数と読取画像をそこから取得した原稿の枚数が一致することであることを特徴とする画像処理装置。
【請求項１０】
請求項１乃至６の何れか１項に記載の画像処理装置であって、
前記設定は、２つの読取画像に基づいた両面印刷の設定を含み、
前記要件は、２つの読取り画像が一定範囲内で同一ではないことを特徴とする画像処理装置。
【請求項１１】
請求項１乃至６の何れか１項に記載の画像処理装置であって、
前記設定は、２つの読取画像に基づいた両面印刷の設定を含み、
前記要件は、常に満たされない要件であることを特徴とする画像処理装置。
【請求項１２】
請求項１乃至１１の何れか１項に記載の画像処理装置を備えることを特徴とする複合機。
【請求項１３】
請求項１乃至１１の何れか１項に記載の画像処理装置及び前記原稿読取装置を備えることを特徴とする複合機。
【請求項１４】
請求項１乃至１１の何れか１項に記載の画像処理装置を備えることを特徴とする原稿読取装置。
【請求項１５】
原稿から取得した読取画像に基づいて、設定がされた画像処理装置により出力画像を生成するならば、該出力画像が前記設定に対応した要件を満たすことになるか否かを判断する判断ステップと、
前記出力画像が前記要件を満たすことにならないと前記判断手段が判断した場合に、前記出力画像をプレビュー表示するプレビューステップと、
を有することを特徴とする画像処理方法。
【請求項１６】
請求項１乃至１１の何れか１項に記載の画像処理装置としてコンピュータを機能させることを特徴とする画像処理用プログラム。
【発明の詳細な説明】
【技術分野】
【０００１】
本発明は、原稿を読み取るための原稿読取装置及び原稿読取方法、原稿読取装置が読み取った原稿から取得した読取画像を処理するための画像処理装置、前記原稿読取装置及び画像処理装置を含む複合機に関する。
【背景技術】
【０００２】
原稿読取装置は、原稿の画像データを取得し、その画像データに基づいて印刷をしたり、その画像データを含む画像データファイルを生成するために用いられている。また、原稿読取装置装置は、原稿読取装置に対して現在選択されている機能及び設定並びに原稿から取得した画像データに基づいて読取結果を生成する。例えば、原稿読取装置に対して、所定サイズで所定の向き（例えば、Ａ４サイズ横向き）の原稿を読み取るような設定が選択されている場合には、そのサイズでその向き（例えば、Ａ４サイズ横向き）の原稿が読み取られることを前提として、原稿から取得した画像データを基に、印刷やファイルの生成を行う。また、所定枚数（例えば、４枚）の集約機能の機能が選択されている場合には、所定枚数（例えば、４枚）を集約して１つの出力ページにまとめる。更に、片面／両面印刷の機能が選択されている場合には、２枚の原稿の画像を１枚の用紙の表面と裏面に印刷する。更に、両面／片面印刷の機能が選択されている場合には、１枚の原稿の表面の画像と裏面の画像を１枚の用紙の片面に印刷する。更に、大量原稿モードの機能が選択されている場合には、複数の原稿を複数のグループに分割し（例えば、３００枚の原稿を３つのグループに分割し）、各グループに対して原稿読取りのみを行い、それが全グループに対して終了してから、全グループの原稿について印刷又は画像データファイルの出力を行う。
【先行技術文献】
【特許文献】
【０００３】
【特許文献１】特許第４０５４７５６号公報
【発明の概要】
【発明が解決しようとする課題】
【０００４】
しかし、上記のような機能や設定が選択されている場合、利用者による誤操作又は意図などにより、必ずしも通常であれば正常であると判断されるような読取結果を得ることができるとは限らなかった。
【０００５】
例えば、利用者は、原稿読取装置に対して、所定サイズで所定の向きの原稿を読み取るような設定を選択しても、別のサイズの原稿を読み取らせたり、同じサイズであっても、異なった向きの原稿を読み取らせてしまうことがある。
【０００６】
また、利用者は、原稿読取装置に対して、所定枚数の集約機能の機能が選択しても、その集約枚数の原稿が１枚の出力に対応するように原稿を読み取らせないことがある。
【０００７】
更に、利用者は、原稿読取装置に対して、片面／両面印刷の機能を選択しても、例えば、１枚目の原稿を読み込ませた後で、１枚目の原稿を２枚目の原稿に替えることを忘れてしまうことがある。
【０００８】
更に、利用者は、原稿読取装置に対して、両面／片面印刷の機能を選択しても、用紙やカードの表面を読み込ませた後で、その用紙やカードを裏返すことを忘れてしまうことがある。
【０００９】
更に、利用者は、原稿読取装置に対して、大量原稿モードの機能を選択し、用紙のサイズと向きを設定しても、何れかのグループにおいて、読み込ませる原稿の向きを間違えてしまう場合がある。
【００１０】
このような場合、原稿読取装置に対して現在選択されている機能及び設定では、正常にその機能及び設定による読取り結果を得ることができない。
【００１１】
特許文献１には、大量原稿モードと同様なモードにおいて、グループ毎に原稿を読み終える度にプレビュー表示を行う発明が開示されている。しかし、全てのグループに対して読取結果が正常であるか否かにかかわらずプレビューを行うので、例えば、グループ数が多ければ、利用者の負担が重くなってしまい、また、読取結果が正常であるか否かの判断を利用者が行わなければならないので、その負担も重くなってしまい、正常でないことが利用者により見落とされてしまう可能性もある。
【００１２】
そこで、本発明は、原稿から取得した読取画像に基づいて、設定がされた画像処理装置で処理をすると、正常な出力画像を得ることができない場合、利用者が負担なくそれに対応することを可能にする原稿読取装置、画像処理装置及び複合機並びに原稿読取方法を提供することを目的とする。
【課題を解決するための手段】
【００１３】
本発明によれば、
原稿から取得した読取画像に基づいて、設定がされた画像処理装置により出力画像を生成するならば、該出力画像が前記設定に対応した要件を満たすことになるか否かを判断する判断手段と、
前記出力画像が前記要件を満たすことにならないと前記判断手段が判断した場合に、前記出力画像をプレビュー表示するプレビュー手段と、
を備えることを特徴とする画像処理装置が提供される。
また、本発明によれば、上記の画像処理装置を備えることを特徴とする複合機が提供される。
更に、本発明によれば、上記の画像処理装置及び前記原稿読取装置を備えることを特徴とする複合機が提供される。
更に、本発明によれば、上記の画像処理装置を備えることを特徴とする原稿読取装置が提供される。
更に、原稿から取得した読取画像に基づいて、設定がされた画像処理装置により出力画像を生成するならば、該出力画像が前記設定に対応した要件を満たすことになるか否かを判断する判断ステップと、
前記出力画像が前記要件を満たすことにならないと前記判断手段が判断した場合に、前記出力画像をプレビュー表示するプレビューステップと、
を有することを特徴とする画像処理方法が提供される。
更に、本発明によれば、上記の画像処理装置としてコンピュータを機能させることを特徴とする画像処理用プログラムが提供される。
【発明の効果】
【００１４】
本発明によれば、原稿から取得した読取画像に基づいて、設定がされた画像処理装置で処理をすると、正常な出力画像を得ることができない場合、利用者が負担なくそれに対応することが可能になる。
【図面の簡単な説明】
【００１５】
【図１】本発明の第１及び第２の実施の形態を説明するための図である。
【図２】本発明の第３の実施の形態を説明するための図である。
【図３】本発明の第４の実施の形態を説明するための図である。
【図４】本発明の第５の実施の形態を説明するための図である。
【図５】本発明の第６の実施の形態を説明するための図である。
【図６】本発明の第７の実施の形態における複合機の概略を示す断面図である。
【図７】本発明の第７の実施の形態における複合機の概略を示す機能ブロックである。
【図８】本発明の第７の実施の形態における原稿読取装置の機能部を示す機能ブロックである。
【図９】本発明の実施例１を説明するためのフローチャートである。
【図１０】本発明の実施例２を説明するためのフローチャートである。
【図１１】本発明の実施例３を説明するためのフローチャートである。
【図１２】本発明の実施例４を説明するためのフローチャートである。
【図１３】本発明の実施例５を説明するためのフローチャートである。
【図１４】本発明の実施例６における第１の画面を示す図である。
【図１５】本発明の実施例６における第２の画面を示す図である。
【発明を実施するための形態】
【００１６】
以下、図面を参照して本発明を実施するための形態について詳細に説明する。
【００１７】
［第１の実施の形態］
第１の実施の形態は、所定の方向に載置された原稿を読み取る設定がされているにもかかわらず、読み取られた原稿がそれとは異なった方向で読み取られたものである場合のものである。
【００１８】
例えば、図１（ａ）に示すように、Ａ４横のスキャン範囲が設定されているにもかかわらず、図１（ｂ）に示すように、Ａ４サイズの原稿が、プラテンに縦方向に載置されたり、自動原稿処理装置に縦方向に設定された場合に、図１（ｃ）に示すように、これを表すプレビュー画面を図１４に示す画面３０１のプレビュー領域３０３に表示する。このプレビュー画面においては、Ａ４横のスキャン範囲を示す設定矩形と、Ａ４縦で実際に原稿が読取られたことを示す読取矩形とを表示する。例えば、設定矩形はスキャン範囲を示す枠だけで示し、読取矩形は、所定の塗りつぶしで示す。所定の塗りつぶしとしては、例えば、所定の図形、実際の読取り画像等が用いる。また、所定の塗りつぶしにおいては、設定矩形内部と設定矩形外部とに対して相互に異なった塗りつぶしをしてもよい。
【００１９】
画面表示部は、プレビュー画面の他に、対応方法を利用者に対し選択をさせるために用いられるユーザインターフェース画面（図１４に示す画面３０１のプレビュー領域３０３以外の部分）を表示する。なお、この時点では、印刷を実行しない。
【００２０】
このユーザインターフェース画面において、再設定（画面３０１の「設定の変更」３１１）が選択されたならば、原稿の読取り方向を変更し、更に、原稿の再読取りを行う。例えば、Ａ４縦のスキャン範囲を設定し、原稿をＡ４縦で読取る。Ａ４横のスキャン範囲を再度設定し、原稿をＡ４横で読み取ってもよい。
【００２１】
また、このユーザインターフェース画面において、再読み込み（画面３０１の「１枚目やりなおし」３０９）が選択されたならば、原稿のサイズと読取り方向に関する設定を維持したまま、原稿の読取りを再度行う。例えば、Ａ４横のスキャン範囲を維持したまま、原稿をＡ４横で読取る。
【００２２】
再設定の選択により再設定及び再読み込みが行われ、又は、再読み込みの選択により再読み込みが行われた結果前回と同様な誤りその他誤りが検出されなければ、特にプレビュー画面の表示は行わずに、その時点で印刷又は出力を実行する。
【００２３】
なお、上記のユーザインターフェース画面において、継続（画面３０１の「次へ」３１３）が選択されたならば、誤りの検出にかかわらず、印刷又は出力の処理に進む。
【００２４】
また、Ａ４横のスキャン範囲が設定されていて、Ａ４サイズの原稿が、プラテンに横方向に載置されたり、自動原稿処理装置に横方向に設定されたりした場合には、図１（ｃ）に示すようなプレビュー画面も上記のユーザインターフェース画面も表示しないで（画面３０１を表示しないで）、そのまま処理を続け、印刷又は出力に進む。
【００２５】
なお、設定された用紙サイズと実際に読み込まれた原稿のサイズが異なる場合、設定された用紙サイズと実際に読み込まれた原稿のサイズが異なり、且つ、設定された用紙の向きと読み込まれた用紙の向きが異なる場合にも、同様なことを行うことができる。
【００２６】
なお、実際に読取られた原稿のサイズと向きは、所定の方法により検出する。例えば、プラテンの下部に設けられた原稿のサイズと向きを検出するための複数のセンサを利用して、プラテンに載置された原稿のサイズと向きを検出してもよい。原稿を読み取ったことにより得られた読取画像を画像処理することによりプラテンに載置された原稿のサイズと向きを検出してもよいし、読取画像に基づいて原稿のサイズと向きを検出してもよい。設定されている原稿のサイズと向きと、検出した原稿のサイズと向きとが一致しない場合には、プレビュー画面などを表示することになる。つまり、例えば、原稿のサイズと向きが設定されているのであれば、これらと検出した原稿のサイズと向きが一致することが設定に対応した要件となるが、この要件が満たされない場合には、プレビュー画面などを表示することになる。
【００２７】
また、各利用者による操作により、読取原稿の向き（縦又は横）を設定することができるが、管理者が読取原稿の用途毎にディフォルトの向きを設定することができる。具体的には、コンビニ、会社などに応じて、コピー、ファックス、スキャン・ツゥー・ＰＣ、サーバ保存といった機能毎に読取原稿のディフォルトの方向を管理者がシステム設定できる。システム設定は、記録媒体に設けられた確認テーブルに格納される。
【００２８】
［第２の実施の形態］
第２の実施の形態は、自動原稿処理装置に所定の方向に載置された原稿をまとめて読み取る設定がされているにもかかわらず、まとめて読み取られた原稿がそれとは異なった方向で読み取られたものである場合のものである。
【００２９】
例えば、図１（ａ）に示すように、Ａ４横のスキャン範囲が設定されているにもかかわらず、図１（ｂ）に示すように、複数のＡ４サイズの原稿が、自動原稿処理装置に縦方向に設定され、これらの原稿が読み込まれた場合に、図１（ｃ）に示すように、これを表すプレビュー画面を図１４に示す画面３０１のプレビュー領域３０３に表示する。このプレビュー画面においては、Ａ４横のスキャン範囲を示す設定矩形と、Ａ４縦で実際に原稿が読取られたことを示す読取矩形とを表示する。例えば、設定矩形はスキャン範囲を示す枠だけで示し、読取矩形は、所定の塗りつぶしで示す。所定の塗りつぶしとしては、例えば、所定の図形、実際の読取り画像（何れか１枚の読み取られた原稿の画像）等が用いられる。また、所定の塗りつぶしにおいては、設定矩形内部と設定矩形外部とに対して異なった塗りつぶしをしてもよい。
【００３０】
画面表示部は、プレビュー画面の他に、対応方法を利用者に対し選択をさせるために用いられるユーザインターフェース画面（図１４に示す画面３０１のプレビュー領域３０３以外の部分）を表示する。
【００３１】
このユーザインターフェース画面において、再設定（画面３０１の「設定の変更」３１１）が選択されたならば、原稿の読取り方向を変更し、更に、原稿の再読取りを行う。例えば、Ａ４縦のスキャン範囲を設定し、複数の原稿をＡ４縦でまとめて読取る。Ａ４横のスキャン範囲を再度設定し、複数の原稿をＡ４横でまとめて読み取ってもよい。
【００３２】
また、このユーザインターフェース画面において、再読み込み（画面３０１の「１枚目やりなおし」３０９）が選択されたならば、原稿のサイズと読取り方向に関する設定を維持したまま、複数の原稿の読取りを再度まとめて行う。例えば、Ａ４横のスキャン範囲を維持したまま、複数の原稿をＡ４横でまとめて読取る。
【００３３】
再設定の選択により再設定及び再読み込みが行われ、又は、再読み込みの選択により再読み込みが行われた結果前回と同様な誤りその他誤りが検出されなければ、特にプレビュー画面の表示は行わずに、その時点で印刷又は出力を実行する。
【００３４】
なお、上記のユーザインターフェース画面において、継続（画面３０１の「次へ」３１３）が選択されたならば、誤りの検出にかかわらず、印刷又は出力の処理に進む。
【００３５】
また、Ａ４横のスキャン範囲が設定されていて、Ａ４サイズの原稿が、自動原稿処理装置に横方向に設定された場合には、図１（ｃ）に示すようなプレビュー画面も上記のユーザインターフェース画面も表示しないで（画面３０１を表示しないで）、そのまま処理を続け、印刷又は出力に進む。
【００３６】
第１の実施の形態は、１枚ずつの処理に対応したものであるが、第２の実施の形態は、複数枚まとめての処理に対応したものである。例えば、原稿送り装置に３０枚の原稿を載置した場合において、原稿の載置方向を間違えた場合、誤ったままの印刷を回避することができる。
【００３７】
また、例えば、３００枚の読み込みと印刷又は出力をする場合において、まとめて、これをするのではなく、１００枚ずつに３回に分けて、原稿を読取り、最後にまとめて３００枚の印刷又は出力をする動作モードがあるが、何れかの回において読取り原稿の原稿送り装置への載置方向に誤りがある場合、それを示すプレビュー画面と対応方法を利用者に選択させるためのユーザインターフェース画面を表示し、そこで選択された対応方法により、誤りのない状態の読み込みが行われるようにできるので、誤りを回毎の単位で直すことができる。また、誤りを検出した場合にのみプレビュー画面とユーザインターフェース画面を表示するので、不要に、プレビュー画面などを表示することを回避することができる。
【００３８】
なお、実際に読取られた原稿のサイズと向きは、所定の方法により検出する。第１の実施の形態では、プラテンに原稿を載置するので、プラテンの下部に設けられた原稿のサイズと向きを検出するための複数のセンサを利用して、プラテンに載置された原稿のサイズと向きを検出することができたが、第２の実施の形態では、自動原稿処理装置により原稿のサイズと向きを検出してもよいし、読取画像自体に基づいて原稿のサイズと向きを検出してもよい。原稿を読み取ったことにより得られた読取画像を画像処理することによりプラテンに載置された原稿のサイズと向きを検出してもよい。設定されている原稿のサイズと向きと、検出した原稿のサイズと向きとが一致しない場合には、プレビュー画面などを表示することになる。つまり、例えば、原稿のサイズと向きが設定されているのであれば、これらと検出した原稿のサイズと向きが一致することが設定に対応した要件となるが、この要件が満たされない場合には、プレビュー画面などを表示することになる。
【００３９】
［第３の実施の形態］
第３の実施の形態は、原稿読取装置に設定された原稿読取り領域の一部のみを、読取られた原稿が占める場合のものである。
【００４０】
例えば、図２（ａ）に示すように、Ａ３横のスキャン範囲が設定されているにもかかわらず、図２（ｂ）に示すように、Ａ４縦の原稿が読取られた場合に、図２（ｃ）に示すような、これを表すプレビュー画面を図１４に示す画面３０１のプレビュー領域３０３に表示する。このプレビュー画面においては、Ａ３横のスキャン範囲を示す設定矩形と、Ａ４縦で実際に原稿が読取られたことを示す読取矩形とを表示する。例えば、設定矩形はスキャン範囲を示す枠だけで示し、読取矩形は、所定の塗りつぶしで示す。所定の塗りつぶしとしては、例えば、所定の図形、実際の読取り画像等が用いられる。
【００４１】
画面表示部は、プレビュー画面の他に、対応方法を利用者に対し選択をさせるために用いられるユーザインターフェース画面（図１４に示す画面３０１のプレビュー領域３０３以外の部分）を表示する。なお、この時点では、印刷を実行しない。
【００４２】
このユーザインターフェース画面において、再設定（画面３０１の「設定の変更」３１１）が選択されたならば、原稿の読取りサイズと方向を変更し、更に、原稿の再読取りを行う。例えば、Ａ４縦のスキャン範囲を設定し、原稿をＡ４縦で読取る。Ａ４横のスキャン範囲を設定し、原稿をＡ４横で読み取ってもよい。但し、原稿読取装置によっては、何れかができない場合もある。
【００４３】
また、このユーザインターフェース画面において、再読み込み（画面３０１の「１枚目やりなおし」３０９）が選択されたならば、原稿の読取り方向を維持したまま、原稿の読取りを行う。例えば、Ａ３横のスキャン範囲を維持したまま、Ａ３原稿を横向きで読取る。
【００４４】
更に、このユーザインターフェース画面において、継続（画面３０１の「次へ」３１３）が選択されたならば、そのまま印刷又は出力に進む。これは、特に、原稿よりも大きなスキャン範囲を設定し、印刷結果にメモ書き込み用の余白を作る場合等を想定したものである。
【００４５】
再設定及び再読み込み又は再読み込みに応じた動作が実行され、前回と同様な誤りなどが検出されなければ、その時点で印刷又は出力を実行する。
【００４６】
なお、Ａ３横のスキャン範囲が設定されていて、Ａ３サイズの原稿が、プラテンに横方向に載置されたり、自動原稿処理装置に横方向に設定された場合には、図２（ｃ）に示すようなプレビュー画面も上記のユーザインターフェース画面も表示しないで（画面３０１を表示しないで）、そのまま処理を続け、印刷又は出力に進む。
【００４７】
なお、実際に読取られた原稿のサイズと向きは、所定の方法により検出する。例えば、プラテンの下部に設けられた原稿のサイズと向きを検出するための複数のセンサを利用して、プラテンに載置された原稿のサイズと向きを検出してもよい。原稿を読み取ったことにより得られた読取画像を画像処理することによりプラテンに載置された原稿のサイズと向きを検出してもよいし、読取画像に基づいて原稿のサイズと向きを検出してもよい。。設定されている原稿のサイズと向きと、検出した原稿のサイズと向きとが一致しない場合には、プレビュー画面などを表示することになる。つまり、例えば、原稿のサイズと向きが設定されているのであれば、これらと検出した原稿のサイズと向きが一致することが設定に対応した要件となるが、この要件が満たされない場合には、プレビュー画面などを表示することになる。
【００４８】
［第４の実施の形態］
第４の実施の形態は、所定枚数の集約機能が設定されているにもかかわらず、その所定枚数の原稿が読み取られなかった場合のものである。
【００４９】
例えば、図３（ａ）に示すように、４枚の集約機能が設定されているにもかかわらず、図３（ｂ）に示すように、原稿が２枚しか読取られなかった場合に、図３（ｃ）に示すように、これを表すプレビュー画面を図１４に示す画面３０１のプレビュー領域３０３に表示する。このプレビュー画面においては、４枚分の原稿領域を示す４つの設定矩形と、実際に２枚しか原稿が読取られなかったことを示す２つの読取矩形とを表示する。例えば、設定矩形は集約後に占める範囲を示す枠だけで示し、読取矩形は、集約後に占める領域を示す所定の塗りつぶしで示す。所定の塗りつぶしとしては、例えば、所定の図形、実際の読取り画像等が用いられる。
【００５０】
画面表示部は、プレビュー画面の他に、対応方法を利用者に対し選択をさせるために用いられるユーザインターフェース画面（図１４に示す画面３０１のプレビュー領域３０３以外の部分）を表示する。なお、この時点では、印刷を実行しない。
【００５１】
このユーザインターフェース画面において、再設定（画面３０１の「設定の変更」３１１）が選択されたならば、集約機能のパラメータを変更し、更に、原稿の再読取りを行う。例えば、２枚の集約に設定し、原稿を２枚読み取る。
【００５２】
また、このユーザインターフェース画面において、全部の再読み込み（画面３０１の「１枚目やりなおし」３０９）が選択されたならば、既に読み込まれた原稿を含め、４枚の原稿を読取る。
【００５３】
再設定及び再読み込み又は再読み込みに応じた動作が実行され、前回と同様な誤りなどが検出されなければ、その時点で印刷又は出力を実行する。
【００５４】
なお、上記のユーザインターフェース画面において、継続（画面３０１の「次へ」３１３）が選択されたならば、誤りの検出にかかわらず、印刷又は出力の処理に進む。つまり、この例では、４枚の領域中２枚の領域のみにしか画像データが存在しないような内容を印刷し又は出力する。
【００５５】
また、４枚集約の設定がされていて、４枚の原稿が読み込まれた場合には、図３（ｃ）に示すようなプレビュー画面も上記のユーザインターフェース画面も表示しないで（画面３０１を表示しないで）、そのまま処理を続け、印刷又は出力に進む。
【００５６】
なお、実際に読取られた原稿の枚数は、所定の方法により検出する。例えば、実際に画像読取りを実行した回数を読み取られた原稿の枚数としてもよい。設定されている原稿のサイズと向きと、検出した原稿のサイズと向きとが一致しない場合には、プレビュー画面などを表示することになる。つまり、集約枚数が設定されているのであれば、これらと読み込んだ原稿枚数が一致することが設定に対応した要件となるが、この要件が満たされない場合には、プレビュー画面などを表示することになる。
【００５７】
［第５の実施の形態］
第５の実施の形態は、片面／両面複写（２枚を１枚の表面と裏面に集約するもの）の設定がされているのに続けて同一の原稿画像を読み込んだ場合のものである。
【００５８】
例えば、図４（ａ）に示すように、片面／両面複写の機能が設定されているにもかかわらず、図４（ｂ）に示すように、同一の原稿が続けて読取られた場合に、図４（ｃ）に示すように、これを表すプレビュー画面を図７に示す画面３２１のプレビュー領域３０３に表示する。このプレビュー画面においては、表面の読取り原稿を示す読取矩形と、裏面の読取り原稿を示す読取矩形とを表示する。例えば、それぞれの読取矩形を、所定の塗りつぶしで示す。所定の塗りつぶしとしては、例えば、所定の図形、実際の読取り画像等が用いられる。利用者は、同じ図形が並んで表示されたり、同じ読取り画像が並んで表示されている画面から、同一の原稿が続けて読取られたことを認識することができる。また、メッセージを表示すれば、それを補助として、同一の原稿が続けて読取られたことを認識することができる。
【００５９】
画面表示部は、プレビュー画面の他に、対応方法を利用者に対し選択をさせるために用いられるユーザインターフェース画面（図１４に示す画面３２１のプレビュー領域３０３以外の部分）を表示する。なお、この時点では、印刷を実行しない。
【００６０】
このユーザインターフェース画面において、再設定（画面３２１の「設定の変更」３３１）が選択されたならば、例えば、片面／両面複写の機能を片面／片面複写の機能に変更する。その後、原稿の再読み込みをする。これは、例えば、利用者が、元々、片面／片面複写を意図していたのだが、誤って、片面／両面複写の機能を設定していた場合を想定している。また、片面／両面複写の設定も読み込ませた原稿も元々意図してしたものではない場合を想定している。
【００６１】
また、このユーザインターフェース画面において、全部の再読み込み（画面３２１の「戻る」３２５）が選択されたならば、１枚目と２枚目の原稿を再読取りする。
【００６２】
更に、このユーザインターフェース画面において、続きからの再読み込み（画面３２１の「２枚目やりなおし」３２９）が選択されたならば、２枚目の原稿のみを再読取りする。
【００６３】
再設定及び再読み込み又は再読み込みに応じた動作が実行され、前回と同様な誤りなどが検出されなければ、その時点で印刷又は出力を実行する。
【００６４】
なお、上記のユーザインターフェース画面において、継続（画面３２１の「次へ」３３３）が選択されたならば、誤りの検出にかかわらず（利用者からみれば誤りでない場合も含む）、印刷又は出力の処理に進む。つまり、この例では、同一の内容の画像データを両面に印刷し又は出力する。
【００６５】
また、片面／両面複写の設定がされていて、相互に異なる２つの画像データを取得した場合には、図４（ｃ）に示すようなプレビュー画面も上記のユーザインターフェース画面も表示しないで（画面３２１を表示しないで）、そのまま処理を続け、印刷又は出力に進む。
【００６６】
なお、実際に読取られた２枚の原稿の読取画像が同じかどうかは、読取画像同士を比較することにより検出する。両者が一致した場合又はほぼ一致した場合には、プレビュー画面などを表示することになる。つまり，片面／両面複写が設定されているのであれば、２つの読取画像が所定の評価方法に従って所定量以上異なることが設定に対応した要件となるが、この要件が満たされない場合には、プレビュー画面などを表示することになる。
【００６７】
両面印刷される内容を利用者に確認してもらうために、片面／両面複写の設定がされている場合には、取得した２つの画像が同一であっても異なっていても、プレビュー画面を表示するようにしてもよい。この場合は、片面／両面複写の設定に対する要件を定義するならば、常に満たされない要件ということになる。
【００６８】
［第６の実施の形態］
第６の実施の形態は、両面／片面複写（１枚の表面と裏面を１枚の片面に集約するもの）の設定がされているのに続けて同一の原稿画像を読み込んだ場合のものである。
【００６９】
例えば、図５（ａ）に示すように、両面／片面複写の機能が設定されているにもかかわらず、図５（ｂ）に示すように、同一の原稿が続けて読取られた場合に、図５（ｃ）に示すように、これを表すプレビュー画面を図１５に示す画面３２１のプレビュー領域３０３に表示する。このプレビュー画面においては、表面の読取り原稿を示す読取矩形と、裏面の読取り原稿を示す読取矩形と、これらを含む用紙を表す用紙矩形を表示する。例えば、用紙矩形は枠のみで示し、それぞれの読取矩形を、所定の塗りつぶしで示す。所定の塗りつぶしとしては、例えば、所定の図形、実際の読取り画像等が用いられる。利用者は、同じ図形が並んで表示されたり、同じ読取り画像が並んで表示されている画面から、同一の原稿が続けて読取られたことを認識することができる。また、メッセージを表示すれば、それを補助として、同一の原稿が続けて読取られたことを認識することができる。
【００７０】
画面表示部は、プレビュー画面の他に、対応方法を利用者に対し選択をさせるために用いられるユーザインターフェース画面（図１４に示す画面３２１のプレビュー領域３０３以外の部分）を表示する。なお、この時点では、印刷を実行しない。
【００７１】
このユーザインターフェース画面において、再設定（画面３２１の「設定の変更」３３１）が選択されたならば、例えば、両面／片面複写の機能を片面／片面複写の機能に変更する。その後、原稿の再読み込みをする。これは、例えば、利用者が、元々、非集約を意図していたのだが、誤って、両面／片面複写の機能を設定していた場合を想定している。また、設定も読み込ませた原稿も元々意図してしたものではない場合を想定している。
【００７２】
また、このユーザインターフェース画面において、全部の再読み込み（画面３２１の「戻る」３２５）が選択されたならば、１枚目と２枚目の原稿を再読取りする。
【００７３】
更に、このユーザインターフェース画面において、続きからの再読み込み（画面３２１の「２枚目やりなおし」３２９）が選択されたならば、２枚目の原稿のみを再読取りする。
【００７４】
再設定及び再読み込み又は再読み込みに応じた動作が実行され、前回と同様な誤りなどが検出されなければ、その時点で印刷又は出力を実行する。
【００７５】
なお、上記のユーザインターフェース画面において、継続（画面３２１の「次へ」３３３）が選択されたならば、誤りの検出にかかわらず（利用者からみれば誤りでない場合も含む）、印刷又は出力の処理に進む。つまり、この例では、同一の内容の２つの画像データを片面に印刷し又は出力する。
【００７６】
また、両面／片面複写の設定がされていて、相互に異なる２つの画像データを取得した場合には、図５（ｃ）に示すようなプレビュー画面も上記のユーザインターフェース画面も表示しないで（画面３２１を表示しないで）、そのまま処理を続け、印刷又は出力に進む。
【００７７】
なお、実際に読取られた２枚の原稿の読取画像が同じかどうかは、読取画像同士を比較することにより検出する。両者が一致した場合又はほぼ一致した場合には、プレビュー画面などを表示することになる。つまり、両面／片面複写が設定されているのであれば、２つの読取画像が所定の評価方法に従って所定量以上異なることが設定に対応した要件となるが、この要件が満たされない場合には、プレビュー画面などを表示することになる。
【００７８】
［第７の実施の形態］
第７の実施の形態は、第１乃至第６の実施の形態による原稿読取装置を含む複合機８００に関するものである。図６及び図７は、複合機８００の構成などを示すものである。
【００７９】
図６及び図７に示すように、複合機８００は、原稿の画像を読み取る原稿読取装置８２０と、シートに画像を形成する複合機本体（画像形成部本体）２１５と、原稿読取装置８２０及び複合機本体２１５を操作するための操作パネル部２１７と、操作パネル部２１７による操作に基づいて原稿読取装置８２０及び複合機本体２１５を制御する演算処理部２１３と、を備えている。操作パネル２１７は、ユーザインターフェース１１７の一部を構成する。
【００８０】
画像読取りのために原稿読取装置８２０を単体で用いること、画像形成のために画像形成部本体２１５を単体で用いることの他に、画像を複写するためにこれらを連動させることもできる。また、複合機８００は図示しない記憶装置及びファクシミリ装置を含んでいてもよい。記憶装置は、原稿読取装置により読み取られた画像やファクシミリ装置により受信した画像を格納することができる。ファクシミリ装置は、原稿読取装置により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００８１】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図７に示す構成要素の他に、図７には示されないが図６に示される構成要素も含む。
【００８２】
複合機本体２１５は、シートを給送するシート給送部１０と、シートを手差し給送可能な手差し給送部２０と、シート給送部１０又は手差し給送部２０により給送されるシートに画像を形成する画像形成部３０と、を備えている。
【００８３】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００８４】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体２１５に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００８５】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００８６】
４つのプロセスカートリッジ３１Ｙ〜３１Ｋのそれぞれは、複合機本体２１５から取り外し可能に構成されており、交換可能となっている。なお、４つのプロセスカートリッジ３１Ｙ〜３２Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【００８７】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【００８８】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【００８９】
操作パネル部２１７は、所定の情報を表示する表示部２１１と、利用者が原稿読取装置８２０及び複合機本体２１５への指示を入力する入力部２０３と、を備えている。本実施形態においては、操作パネル部２１７は、読取装置本体８２２の正面側に配設されている。なお、正面側は図６の紙面の手前側に対応し、裏面側は図６の背面側に対応する。
【００９０】
図７に示すように、演算処理部２１３は、シート給送部１０、手差し給送部２０、画像形成部３０及び原稿読取装置８２０を駆動制御するＣＰＵ２１３ａと、ＣＰＵ２１３ａを動作させるための各種プログラムとＣＰＵ２１３ａが用いる各種情報等を記憶するメモリ２１３ｂと、を備えている。演算処理部２１３は、利用者による操作パネル部２１７への操作に基づいて、シート給送部１０、手差し給送部２０、画像形成部３０及び原稿読取装置８２０の動作を統合して制御し、シートに画像を形成させる。
【００９１】
なお、演算処理部２１３に、原稿読取装置８２０の動作を制御するが含まれていてもよい。
【００９２】
次に、上述のように構成された複合機８００による画像形成動作（演算処理部２１３による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【００９３】
利用者による操作パネル部２１７の入力部２０３への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【００９４】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｂにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【００９５】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【００９６】
トナー像が転写されたシートは、定着部３４で加熱・加圧されることでトナー像が溶融定着され、排出ローラ対１８により装置外に排出される。装置外に排出されたシートは、排出シート積載部１９に積載される。
【００９７】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【００９８】
図８に、演算処理部２１３のうち原稿読取装置８２０の動作を制御する部分の機能ブロック図を示す。演算処理部２１３のうち原稿読取装置８２０の動作を制御する部分を単独の画像処理装置として機能させることもできるし、当該部分を原稿読取装置８２０に含ませることもできる。このような原稿読取装置８２０を単独で機能する装置として複合機８００から切り離すことも可能である。
【００９９】
図８を参照すると、当該部分は、機能・設定入力部２１３−１、読取部２１３−３、読取結果生成部２１３−５、読取結果評価部２１３−７、画面表示制御部２１３−９、追加処理実行制御部２１３−１１及び出力部２１３−１３を含む。
【０１００】
画面表示制御部２１３−９は、プレビュー表示部２１３−９ａ及びユーザインターフェース表示部２１３−９ｂを含む。
【０１０１】
機能・設定入力部２１３−１は、利用者から機能及び設定の選択及び変更を受け付ける。
【０１０２】
読取部２１３−３は、読取装置本体８２２で読み取った原稿の画像データを受け付ける。
【０１０３】
読取結果生成部２１３−５は、機能・設定入力部２１３−１で選択又は変更された機能及び設定と、読取部２１３−５が受け付けた原稿の画像データに基づいて、読取結果を生成する。
【０１０４】
読取結果評価部２１３−７は、読取結果生成部２１３−５が生成した読取結果を評価し、それが正常なものであるのか否かの判断をする。
【０１０５】
画面表示制御部２１３−９は、読取結果が正常でない場合、プレビュー画面及びユーザインターフェース画面を操作パネル部２１７の表示部２１１に表示する。
【０１０６】
追加処理実行制御部２１３−１１は、操作パネル部２１７に対する利用者からの入力に従って、所定の判断をして、それに基づいて、機能・設定入力部２１３−１、読取部２１３−３及び読取結果生成部２１３−５を制御する。
【０１０７】
出力部２１３−１３は、読取結果生成部２１３−５が生成した読取り結果を出力する。
【０１０８】
プレビュー表示部２１３−９ａは、読取結果生成部２１３−５が生成した読取り結果をプレビューとして表示部２１１が表示するための信号を出力する。
【０１０９】
ユーザインターフェース表示部２１３−９ｂは、ユーザインターフェース画面を表示部２１１が表示するための信号を出力する。
【実施例１】
【０１１０】
実施例１は、第１の実施の形態及び第３の実施の形態に対応した動作の具体例である。なお、この動作は、第７の実施の形態における演算処理部２１３により実行されてもよい。これは、他の実施例においても同様である。
【０１１１】
図９を参照すると、まず、出来上がりの用紙サイズを設定する（ステップＳ４０１）。
【０１１２】
次に、用紙の向きを設定する（ステップＳ４０３）。
【０１１３】
次に、原稿読込みを実行する（ステップＳ４０５）。
【０１１４】
次に、ステップＳ４０３及びステップＳ４０５で設定した用紙サイズと向きをステップＳ４０５で読み込んだ原稿のサイズと向きと比較する（ステップＳ４０７）。
【０１１５】
両者間でサイズと向きが同じであれば（ステップＳ４０７で「同じ」）、ステップＳ４１１に進む。サイズ又及び向きのうちの少なくとも一方が異なれば（ステップＳ４０７で「違う」）、ステップＳ４０９に進む。
【０１１６】
ステップ４０９では、ステップＳ４０３及びステップＳ４０５で設定した用紙サイズと向きに対してステップＳ４０５で読み込んだ原稿のサイズと向きの両者又は何れか一方が一致しないことを表すプレビュー画面及び対応方法を利用者に対し選択をさせるために用いられるユーザインターフェース画面を表示する。
【０１１７】
ステップ４０９で表示するユーザインターフェース画面に対して、対応方法として設定の変更を選択するための入力（画面３０１の「設定の変更」のボタンの押下）があれば、ステップＳ４０１に戻る。ステップＳ４０１に戻ったならば、用紙サイズの設定（ステップＳ４０１）、用紙の向きの設定（ステップＳ４０３）、原稿の読込み（ステップＳ４０５）を再度実行して、ステップＳ４０７に進む。例えば、原稿のサイズが一致していないのであれば、出来上がりの用紙サイズをステップ４０５で読み込んだ原稿サイズに合わせ（ステップＳ４０１）、前回と同一の印刷の向きの設定をし（ステップＳ４０３）、前回と同一の原稿を同じ向きで読み込んで（ステップ４０５）、ステップＳ４０７に進む。また、例えば、用紙の向きが一致していないのであれば、出来上がりの用紙サイズを前回と同一にして（ステップＳ４０１）、印刷の向きを原稿を実際に読み込ませる向き（前回読み込ませた向き）に合わせる設定をし（ステップＳ４０３）、前回と同一の原稿を同じ向きで読み込んで（ステップＳ４０５）、ステップＳ４０７に進む。
【０１１８】
ステップ４０９で表示するユーザインターフェース画面に対して、対応方法として原稿の読み直しを選択するための入力があれば、ステップＳ４０５に戻る。ステップＳ４０５に戻ったならば、原稿の読込み（ステップＳ４０５）を再度実行して、ステップＳ４０７に進む。例えば、ステップＳ４０１で設定した出来上がりの用紙サイズと同一サイズの原稿を、ステップＳ４０３で設定した向きと同一の向きで読み込んで（ステップＳ４０５）、ステップＳ４０７に進む。
【０１１９】
ステップＳ４０９で表示するユーザインターフェース画面に対して、ステップＳ４０１及びステップＳ４０３で設定した出来上がりの用紙サイズ及び向きとステップＳ６０５で読み込んだ原稿のサイズ及び向きが同じ場合と同様に次へ進むことを選択するための入力があれば、ステップＳ４１１に進む。
【０１２０】
ステップＳ４１１では、利用者による印刷スタートボタンの押下を受け付け、これに従って、印刷を実行する（ステップＳ４１３）。なお、印刷の実行に先立って、設定及び機能並びに読み込んだ原稿に従って、印刷するべき読込結果を生成する。また、印刷をする代わりに、印刷イメージ又は印刷内容を記述したデータを出力してもよい。これは、他の実施例についても同様である。
【０１２１】
また、設定の変更が選択された場合、ステップＳ６０１、ステップＳ６０３を実行し、その後、ステップＳ６０５を実行しなくてもよい。この場合、印刷実行に先立って、変更後の設定及び機能並びに最初に読み込んだ原稿に従って、印刷するべき読込結果を生成する。これも、他の実施例についても同様である。
【実施例２】
【０１２２】
実施例２は、第２の実施の形態に対応した動作の具体例である。
【０１２３】
図１０を参照すると、まず、出来上がりの用紙サイズを設定する（ステップＳ４２１）。
【０１２４】
次に、用紙の向きを設定する（ステップＳ４２２）。
【０１２５】
次に、利用者により原稿がセットされる（ステップＳ４２５）。ここでセットされる原稿は、第１回の１枚以上の原稿である。
【０１２６】
次に、利用者によりスタートボタンが押下される（ステップＳ４２７）。
【０１２７】
次に、原稿読取りを実行する（ステップＳ４２９）。ここで、読み取られる原稿は、ステップＳ４２５でセットされた第１回の１枚以上の原稿である。
【０１２８】
次に、ステップＳ４２１及びステップＳ４２３で設定した用紙サイズと向きをステップＳ４２９で読み込んだ原稿のサイズと向きと比較する（ステップＳ４３１）。
【０１２９】
両者間でサイズと向きが同じであれば（ステップＳ４３１でＹＥＳ）、ステップＳ４３７に進む。サイズ又及び向きのうちの少なくとも一方が異なれば（ステップＳ４３１でＮＯ）、ステップＳ４３５に進む。
【０１３０】
ステップ４３５では、ステップＳ４２１及びステップＳ４２３で設定した用紙サイズと向きに対してステップＳ４２９で読み込んだ原稿のサイズと向きの両者又は何れか一方が一致しないことを表すプレビュー画面及び対応方法を利用者に対し選択をさせるために用いられるユーザインターフェース画面を表示する。
【０１３１】
ステップ４３５で表示するユーザインターフェース画面に対して、対応方法として設定の変更を選択するための入力（画面３０１の「設定の変更」のボタンの押下）があれば、ステップＳ４２１に戻る。ステップＳ４２１に戻ったならば、用紙サイズの設定（ステップＳ４２１）、用紙の向きの設定（ステップＳ４２３）、原稿の読込み（ステップＳ４２９）などを再度実行して、ステップＳ４３１に進む。例えば、原稿のサイズが一致していないのであれば、出来上がりの用紙サイズをステップＳ４２９で読み込んだ原稿サイズに合わせ（ステップＳ４２１）、前回と同一の印刷の向きの設定をし（ステップＳ４２３）、前回と同一の原稿を同じ向きで読み込んで（ステップ４２９）、ステップＳ４３１に進む。また、例えば、用紙の向きが一致していないのであれば、出来上がりの用紙サイズを前回と同一にして（ステップＳ４２１）、印刷の向きを原稿を実際に読み込ませる向き（前回読み込ませた向き）に合わせる設定をし（ステップＳ４２３）、前回と同一の原稿を同じ向きで読み込んで（ステップＳ４２９）、ステップＳ４３１に進む。
【０１３２】
ステップＳ４３５で表示するユーザインターフェース画面に対して、対応方法として原稿の読み直しを選択するための入力があれば、ステップＳ４２５に戻る。ステップＳ４２５に戻ったならば、原稿の読込み（ステップＳ４２５）などを再度実行して、ステップＳ４３１に進む。例えば、用紙の向きが一致していないのであれば、ステップＳ４２１で設定した出来上がりの用紙サイズと同一サイズの原稿を、ステップＳ４２３で設定した向きと同一の向き（前回と異なった向き）で読み込んで（ステップＳ４２９）、ステップＳ４３１に進む。
【０１３３】
ステップＳ４３７では、直前のステップＳ４２９で読み込んだ原稿の画像データを保存する。
【０１３４】
次に、印刷ボタンが押下されたならば（ステップＳ４３９でＹＥＳ）、印刷を実行する（ステップＳ４５３）。なお、この時点では、追加して読み込むべき原稿がないので、追加読込ボタンは選択不可能状態になっている。
【０１３５】
次に、利用者により原稿がセットされる（ステップＳ４４１）。ここでセットされる原稿は、第２回の１枚以上の原稿である。これにより、追加読込ボタンは選択可能状態になる。
【０１３６】
次に、ステップＳ４４３で印刷ボタンが押下されたならば、印刷を実行する（ステップＳ４５３）。ステップＳ４４３で追加読込ボタンが押下されたならば、追加読込みのために、ステップＳ４４５に進む。
【０１３７】
ステップＳ４４５では、原稿読取りを実行する。ここで、読み取られる原稿は、直前に実行されたステップＳ４４１でセットされた１枚以上の原稿である。
【０１３８】
次に、ステップＳ４２１及びステップＳ４２３で設定した用紙サイズと向きを直前に実行したステップＳ４４５で読み込んだ原稿のサイズと向きと比較する（ステップＳ４４７）。
【０１３９】
両者間でサイズと向きが同じであれば（ステップＳ４４７で「同じ」）、ステップＳ４５１に進む。サイズ又及び向きのうちの少なくとも一方が異なれば（ステップＳ４４７で「違う」）、ステップＳ４４９に進む。
【０１４０】
ステップＳ４４９では、ステップＳ４２１及びステップＳ４２３で設定した用紙サイズと向きに対してステップＳ４４５で読み込んだ原稿のサイズと向きの両者又は何れか一方が一致しないことを表すプレビュー画面及び対応方法を利用者に対し選択をさせるために用いられるユーザインターフェース画面を表示する。
【０１４１】
ステップＳ４４９で表示するユーザインターフェース画面に対して、対応方法として原稿の読み直しを選択するための入力があれば、ステップＳ４４１に戻る。ステップＳ４４１に戻ったならば、ステップＳ４４１で利用者により載置し直された原稿の読込み（ステップＳ４４５）などを再度実行して、ステップＳ４４７に進む。例えば、ステップＳ４２１で設定した出来上がりの用紙サイズと同一サイズの原稿を、ステップＳ４２３で設定した向きと同一の向きで読み込んで（ステップＳ４４５）、ステップＳ４４７に進む。
【０１４２】
ステップＳ４４７で「同じ」と判断されたならば、ステップＳ４５１に進む。ステップＳ４５１では、直前のステップＳ４４５で読み込んだ原稿の画像データを保存する。
【０１４３】
この後、ステップＳ４３９に戻るが、前述した処理が繰り返される。利用者は、２回に分けて原稿を供給するのであれば、ステップＳ４３９で印刷ボタンを押し、これにより、ステップＳ４５３に進み、印刷を実行する。利用者は、３回に分けて原稿を供給するのであれば、ステップＳ４４１で第３回の原稿を供給し、ステップＳ４４３で「追加読込」ボタンを押すので、ステップＳ４４５以降を実行する。正常な読込が行われたならば、利用者は、ステップＳ４３９に戻ったときに、印刷ボタンを押し、これにより、ステップＳ４５３に進み、印刷を実行する。
【０１４４】
なお、ステップＳ４３１で表示するユーザインターフェース画面に対して、ステップＳ４２１及びステップＳ４２３で設定した出来上がりの用紙サイズ及び向きとステップＳ４２９で読み込んだ原稿のサイズ及び向きが同じ場合と同様に次へ進むことを選択するための入力があれば、ステップＳ４３７に進む。
【０１４５】
また、ステップＳ４４９で表示するユーザインターフェース画面に対して、ステップＳ４２１及びステップＳ４２３で設定した出来上がりの用紙サイズ及び向きとステップＳ４４５で読み込んだ原稿のサイズ及び向きが同じ場合と同様に次へ進むことを選択するための入力があれば、ステップＳ４５１に進む。
【実施例３】
【０１４６】
実施例３は、第４の実施の形態に対応した動作の具体例である。
【０１４７】
図１１を参照すると、まず、出来上がりの用紙サイズを設定する（ステップＳ６０１）。
【０１４８】
次に、印刷機能を設定する（ステップＳ６０３）。ここでの印刷機能は、所定枚数を１面に集約するものである。これを片面印刷に適用しても両面印刷に適用してもよい。なお、この実施例では、出来上がりの用紙サイズと原稿の用紙サイズが同一である場合に、正常な集約ができるものとする。また、１枚のみ出力することを前提とする。
【０１４９】
次に、原稿読込みを実行する（ステップＳ６０５）。
【０１５０】
次に、ステップＳ６０１で設定した出来上がりの用紙サイズとステップＳ６０５で読み込んだ原稿のサイズを比較する（ステップＳ６０７）。
【０１５１】
サイズが同じであれば（ステップＳ６０７でＹＥＳ）、ステップＳ６１１に進む。サイズが異なれば（ステップＳ６０７でＮＯ）、ステップＳ６０９に進む。
【０１５２】
ステップ６０９では、ステップＳ６０１で設定した出来上がりの用紙サイズとステップＳ６０５で読み込んだ原稿のサイズが異なることを表すプレビュー画面及び対応方法を利用者に対し選択をさせるために用いられるユーザインターフェース画面を表示する。
【０１５３】
ステップ６０９で表示するユーザインターフェース画面に対して、対応方法として設定の変更を選択するための入力があれば、ステップＳ６０１に戻る。ステップＳ６０１に戻ったならば、用紙サイズの設定（ステップＳ６０１）、印刷機能の設定（ステップＳ６０３）、原稿の読込み（ステップＳ６０５）を再度実行して、ステップＳ６０７に進む。例えば、出来上がりの用紙サイズをステップ６０５で読み込んだ原稿サイズに合わせ（ステップＳ６０１）、前回と同一の印刷機能の設定をし（ステップＳ６０３）、前回と同一の原稿を読み込んで（ステップＳ６０５）、ステップＳ６０７に進む。
【０１５４】
ステップ６０９で表示するユーザインターフェース画面に対して、対応方法として原稿の読み直しを選択するための入力があれば、ステップＳ６０５に戻る。ステップＳ６０５に戻ったならば、原稿の読込み（ステップＳ６０５）を再度実行して、ステップＳ６０７に進む。例えば、ステップＳ６０１で設定した出来上がりの用紙サイズと同一サイズの原稿を読み込んで（ステップＳ６０５）、ステップＳ６０７に進む。
【０１５５】
ステップ６０９で表示するユーザインターフェース画面に対して、ステップＳ６０１で設定した出来上がりの用紙サイズとステップＳ６０５で読み込んだ原稿のサイズが同じ場合と同様に次へ進むことを選択するための入力があれば、ステップＳ６１１に進む。
【０１５６】
ステップＳ６１１では、ステップＳ６０３で設定された印刷機能が１枚の用紙に対して複数枚の原稿読込みをするような設定であるか否かを判断する。
【０１５７】
そうでなければ（ステップＳ６１１でＮＯ）、ステップＳ６１９に進む。そうであれば（ステップＳ６１１でＹＥＳ）、ステップＳ６１３に進む。
【０１５８】
ステップＳ６１３では、２枚目以降の原稿を全て読み込む。
【０１５９】
次に、印刷設定の面数と読み込み枚数を比較する（ステップＳ６１５）。ここで、印刷設定の面数とは、例えば、Ｎ枚を１面に集約する機能と片面印刷の機能が設定されている場合には、Ｎである。また、Ｎ枚を１面に集約する機能と両面印刷の機能が設定されている場合には、２×Ｎである。
【０１６０】
両者の数値が一致している場合には（ステップＳ６１５で「一致」）、ステップＳ６１９に進む。両者の数値が相違している場合には（ステップＳ６１５で「相違」）、ステップＳ６１７に進む。
【０１６１】
ステップＳ６１９では、印刷を開始し、その次に、印刷を実行する（ステップＳ６２１）。
【０１６２】
ステップＳ６１７では、印刷設定の面数と読み込み枚数とが相違することを示すプレビュー画面及び対応方法を利用者に対し選択をさせるために用いられるユーザインターフェース画面を表示する。
【０１６３】
ステップ６１７で表示するユーザインターフェース画面に対して、対応方法として設定の変更を選択するための入力があれば、ステップＳ６０１に戻る。これは、主に、集約枚数を間違えていた場合を想定したものである。また、両面印刷／片面印刷の設定を間違えていた場合を想定したものである。ステップＳ６０１に戻ったならば、用紙サイズの設定（ステップＳ６０１）、印刷機能の設定（ステップＳ６０３）、原稿の読込み（ステップＳ６０５）を再度実行して、ステップＳ６０７に進む。例えば、出来上がりの用紙サイズを前回と同様にし（ステップＳ６０１）、集約枚数の変更及び、必要ならば、両面印刷／片面印刷の変更をし（ステップＳ６０３）、前回と同一の原稿を読み込んで（ステップＳ６０５）、ステップＳ６０７に進む。その次に条件が整えば、ステップＳ６１１：ＹＥＳ→ステップＳ６１３→ステップＳ６１５：一致→ステップＳ６１９を実行する。
【０１６４】
ステップ６１７で表示するユーザインターフェース画面に対して、対応方法として原稿の読み直しを選択するための入力があれば、ステップＳ６１３に戻る。ステップＳ６１３に戻ったならば、２枚目以降の全ての原稿の読込み（ステップＳ６１３）を再度実行して、ステップＳ６０７に進む。例えば、２枚目以降の全ての原稿の枚数を変更してステップＳ６１３を実行する。次に、ステップＳ６１５で「一致」になれば、ステップＳ６１９に進む。なお、１枚目から読み直すようにしてもよい。また、不足するのであれば、不足分の原稿だけ新たに読み込むようにしてもよい。
【０１６５】
ステップ６１７で表示するユーザインターフェース画面に対して、次へ（そのまま進む）を選択するための入力があれば、ステップＳ６１９に進む。
【実施例４】
【０１６６】
実施例４は、第５の実施の形態に対応した動作の具体例である。
【０１６７】
図１２を参照すると、まず、出来上がりの用紙サイズを設定する（ステップＳ４６１）。
【０１６８】
次に、用紙の向きを設定する（ステップＳ４６３）。
【０１６９】
次に、片面／両面印刷の機能を設定する（ステップＳ４６５）。
【０１７０】
次に、片面／両面印刷の機能が設定されているので（ステップＳ４６６でＹＥＳ）、ステップＳ４６７に進む。
【０１７１】
ステップＳ４６７では、利用者が最初の１枚の原稿をセットする。
【０１７２】
次に、利用者によるスタートボタンの押下を受け付ける（ステップＳ４６９）。
【０１７３】
次に、ステップＳ４６７でセットされた原稿の読込みを実行する（ステップＳ４７１）。
【０１７４】
次に、利用者が次の１枚の原稿をセットする（ステップＳ４７３）。
【０１７５】
次に、利用者によるスタートボタンの押下を受け付ける（ステップＳ４７５）。
【０１７６】
次に、ステップＳ４７３でセットされた原稿の読込みを実行する（ステップＳ４７７）。
【０１７７】
次に、ステップＳ４７１で読み込んだ原稿の画像データとステップＳ４７７で読み込んだ原稿の画像データを比較する（ステップＳ４７９）。
【０１７８】
両者が異なっていれば、ステップＳ４９１に進む。両者が同一であれば、ステップＳ４８１に進む。
【０１７９】
ステップ４８１では、ステップＳ４７１で読み込んだ原稿の画像データとステップＳ４７７で読み込んだ原稿の画像データが同一であることを表すプレビュー画面及び対応方法を利用者に対し選択をさせるために用いられるユーザインターフェース画面を表示する。
【０１８０】
ステップＳ４８１で表示するユーザインターフェース画面に対して、次へ進むことを選択するための入力があれば、ステップＳ４８１に進む。これにより、例えば、利用が元々同一の原稿を両面印刷することを意図している場合に対応できる。
【０１８１】
ステップＳ４８１で表示するユーザインターフェース画面に対して、次へ進むことを選択するための入力以外の入力があれば、ステップＳ４８３に進む。
【０１８２】
ステップ４８１で表示するユーザインターフェース画面に対して、対応方法として設定の変更を選択するための入力（画面３２１の「設定の変更」３３１のボタンの押下）があれば、ステップＳ４６１に戻る。ステップＳ４６１に戻ったならば、用紙サイズの設定（ステップＳ４６１）、用紙の向きの設定（ステップＳ４６３）、機能の設定（片面／片面印刷、片面／両面印刷など）（ステップＳ４６５）、原稿の読込み（ステップＳ４７１、Ｓ４７７など）を再度実行して、ステップＳ４７９に進む。例えば、利用者が、元々は、片面／片面複写を意図していたのであれば、ステップＳ４６５で片面／片面印刷を設定する。この場合には、ステップＳ４６６でＮＯとなり、他の処理に進む。また、例えば、利用者が、やはり、片面／両面複写を意図していて、用紙サイズを変えたり、用紙方向を変えたいこととなったのであれば、ステップＳ４６５で片面／両面印刷を設定する。この場合には、ステップＳ４６６でＹＥＳとなり、ステップＳ４６７に進む。
【０１８３】
ステップ４８１で表示するユーザインターフェース画面に対して、対応方法として全部の再読込みを選択するための入力（画面３２１の「もどる」３２５のボタンの押下）があれば、ステップＳ４６７に戻る。ステップＳ４６７に戻ったならば、ステップＳ４６７からＳ４７７を実行して、２枚の原稿を再度読み込む。例えば、最初にセットした１枚の原稿に誤りがあったり、最初にセットした２枚の原稿に誤りがあった場合に、対応できる。
【０１８４】
ステップ４８１で表示するユーザインターフェース画面に対して、対応方法として２枚目のみの再読込みを選択するための入力（画面３２１の「２枚目やり直し」３２９のボタンの押下）があれば、ステップＳ４８５に進む。ステップＳ４８５にすすんだならば、ステップＳ４７３からステップＳ４７７と同様なステップＳ４８５からステップＳ４８９を実行して、２枚目の原稿を再度読み込む。例えば、最初にセットした２枚目のみの原稿に誤りがあった場合に対応できる。ステップＳ４８９からは、ステップＳ４９１に進む。
【０１８５】
ステップＳ４９１で、利用者からの印刷スタートボタンの押下を受け付けたならば、印刷を実行する（ステップＳ４９３）。
【０１８６】
ステップ４０９で表示するユーザインターフェース画面に対して、対応方法として原稿の読み直しを選択するための入力があれば、ステップＳ４０５に戻る。ステップＳ４０５に戻ったならば、原稿の読込み（ステップＳ４０５）を再度実行して、ステップＳ４０７に進む。例えば、ステップＳ４０１で設定した出来上がりの用紙サイズと同一サイズの原稿を、ステップＳ４０３で設定した向きと同一の向きで読み込んで（ステップＳ４０５）、ステップＳ４０７に進む。
【０１８７】
ステップＳ４０９で表示するユーザインターフェース画面に対して、ステップＳ４０１及びステップＳ４０３で設定した出来上がりの用紙サイズ及び向きとステップＳ６０５で読み込んだ原稿のサイズ及び向きが同じ場合と同様に次へ進むことを選択するための入力があれば、ステップＳ４１１に進む。
【０１８８】
ステップＳ４１１では、利用者による印刷スタートボタンの押下を受け付け、これに従って、印刷を実行する（ステップＳ４１３）。
【実施例５】
【０１８９】
実施例５は、第６の実施の形態に対応した動作の具体例である。
【０１９０】
実施例５の動作は、図１３に示すようなフローチャートで表される。実施例４の動作は、図１３に示すようなフローチャートで表されるが、両者はほぼ同じで有り、ステップＳ４６６がステップＳ４６６Ｂに、ステップＳ４８１がステップＳ４８１Ｂに、ステップＳ４９３がステップＳ４９３Ｂに置き換わった点が異なり、他のステップは同様であるので、同様なステップについては、重複する説明を省略し、置き換わったステップのみについての説明をする。
【０１９１】
実施例４のステップＳ４６６では、片面／両面印刷であるか否かを判断するが、実施例５のステップＳ４６６Ｂでは、両面／片面印刷であるか否かを判断する。
【０１９２】
実施例４のステップＳ４８３では、図３（ｃ）に示すようなプレビュー画面を表示するが、実施例５のステップＳ４８３Ｂでは、図５（ｃ）に示すようなプレビュー画面を表示する。
【０１９３】
実施例４のステップＳ４９３では、片面／両面印刷をするが、実施例５のステップＳ４９３Ｂでは、両面／片面面印刷をする。
【実施例６】
【０１９４】
実施例６は、各実施の形態で共通に用いられる画面に関するものである。
【０１９５】
図１４は、片面印刷をするコピーにおいて原稿を読み取った後に、または、両面印刷をするコピーにおいて１面目（表面）に対応した原稿を読み取った後に、原稿読取装置に対して現在選択されている機能及び設定では、正常にその機能による読取り結果を得ることができないような原稿読取りが行われた場合に表示される、正常でない読取り結果を表すプレビュー画面及び対応方法を利用者に対し選択をさせるために用いられるユーザインターフェース画面を合わせた画面である。
【０１９６】
図１４に示すように、ユーザインターフェース画面には、「終了」ボタン、「もどる」ボタン、「１枚目やりなおし」ボタン、「設定の変更」ボタン及び「次へ」ボタンが表示される。
【０１９７】
「終了」ボタンは、これまで読み込んだ原稿の画像データを消去し、現在選択されている機能及び設定をデファオルトのものに戻してから、初期画面に戻るためのものである。
【０１９８】
「もどる」ボタンは、これまで読み込んだ原稿の画像データを消去し、現在選択されている機能及び設定を維持するためのものである。利用者は、「もどる」ボタンを押下した後には、最初の原稿から読み取りをやり直す。
【０１９９】
「１枚目やりなおし」ボタンは、片面印刷における片面または両面印刷における表面に対応した原稿の画像データを消去し、現在選択されている機能及び設定を維持するためのものである。利用者は、「１枚目やりなおし」ボタンを押下した後には、片面印刷における片面または両面印刷における表面に対応した最初の原稿から読み取りをやり直す。例えば、４枚集約の設定で、２枚しか原稿を読み込まなかった場合、実は、読み込むべき原稿が４枚あったという場合に対応することができる。
【０２００】
「設定の変更」ボタンは、現在選択されている機能及び設定を変更するためのものである。これが押下されると、これまで読み込んだ原稿の画像データは消去され、現在選択されている機能及び設定を変更するための画面が表示される。利用者は、「設定の変更」ボタンを押下した後に、その画面で現在選択されている機能及び設定を別のものに変更し、最初の原稿から読み取りをやり直す。例えば、４枚集約の設定で、２枚しか原稿を読み込まなかった場合、実は、２枚集約の設定をするつもりであったという場合に対応することができる。
【０２０１】
「次へ」ボタンは、そのまま次の処理に進むためのものである。片面印刷であれば、印刷に進み、両面印刷であれば、裏面の読込に進む。
【０２０２】
図１５は、両面印刷をするコピーにおいて２面目（裏面）に対応した原稿を読み取った後に、原稿読取装置に対して現在選択されている機能及び設定では、正常にその機能による読取り結果を得ることができないような原稿読取りが行われた場合に表示される、正常でない読取り結果を表すプレビュー画面及び対応方法を利用者に対し選択をさせるために用いられるユーザインターフェース画面を合わせた画面である。
【０２０３】
図１５に示すように、ユーザインターフェース画面には、「終了」ボタン、「もどる」ボタン、「２枚目やりなおし」ボタン、「設定の変更」ボタン及び「次へ」ボタンが表示される。
【０２０４】
「終了」ボタンは、これまで読み込んだ原稿の画像データを消去し、現在選択されている機能及び設定をデファオルトのものに戻してから、初期画面に戻るためのものである。
【０２０５】
「もどる」ボタンは、これまで読み込んだ原稿の画像データを消去し、現在選択されている機能及び設定を維持するためのものである。利用者は、「もどる」ボタンを押下した後には、最初の原稿（つまり、表面に対応した最初の原稿）から読み取りをやり直す。
【０２０６】
「２枚目やりなおし」ボタンは、両面印刷において表面に対応した原稿の画像データを維持するが、裏面に対応した原稿の画像データを消去し、現在選択されている機能及び設定を維持するためのものである。利用者は、「２枚目やりなおし」ボタンを押下した後には、両面印刷における裏面に対応した最初の原稿から読み取りをやり直す。例えば、１枚目の原稿の向きが正しかったが２枚目の原稿の向きが誤っていた場合に対応できる。また、片面につき４枚集約の両面印刷で、表面に対しては４枚の原稿を読み込んだが、裏面に対しては元々４枚の原稿を集約させるつもりであったのに利用者の誤りにより４枚未満の原稿を読み込んだ場合に対応できる。更に、片面／両面複写において、元々異なった２枚の原稿を複写するつもりであったのに、利用者の誤りにより同じ原稿を２回続けて読み込んだ場合に対応することができる。
【０２０７】
「設定の変更」ボタンは、現在選択されている機能及び設定を変更するためのものである。これが押下されると、これまで読み込んだ原稿の画像データは消去され、現在選択されている機能及び設定を変更するための画面が表示される。利用者は、「設定の変更」ボタンを押下した後に、その画面で現在選択されている機能及び設定を別のものに変更し、最初の原稿（つまり、表面に対応した最初の原稿）から読み取りをやり直す。
【０２０８】
「次へ」ボタンは、そのまま次の処理である印刷に進むためのものである。
【０２０９】
なお、上記の原稿読取装置は、ハードウェア、ソフトウェア又はこれらの組合わせにより実現することができる。また、上記の原稿読取装置により行なわれる画像読取方法も、ハードウェア、ソフトウェア又はこれらに組合わせにより実現することができる。ここで、ソフトウェアによって実現されるとは、コンピュータがプログラムを読み込んで実行することにより実現されることを意味する。
【０２１０】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【０２１１】
本発明は、画像の読取りに利用することができる。
【符号の説明】
【０２１２】
２１３−１  機能・設定入力部
２１３−３  読取部
２１３−５  読取結果生成部
２１３−７  読取結果評価部
２１３−９  画面表示制御部
２１３−１１  追加処理実行制御部
２１３−１３  出力部
【図１】
2018133627.tif 000003
【図２】
2018133627.tif 000004
【図３】
2018133627.tif 000005
【図４】
2018133627.tif 000006
【図５】
2018133627.tif 000007
【図６】
2018133627.tif 000008
【図７】
2018133627.tif 000009
【図８】
2018133627.tif 000010
【図９】
2018133627.tif 000011
【図１０】
2018133627.tif 000012
【図１１】
2018133627.tif 000013
【図１２】
2018133627.tif 000014
【図１３】
2018133627.tif 000015
【図１４】
2018133627.tif 000016
【図１５】
2018133627.tif 000017